(57)【要約】固定式のまたは交換可能なシェービング刃によって加えられるピッチ、角度および圧力の正確なフィンガーチップ制御を、リング形の円筒形ハンドルの増分運動を介して正確に制御することができるかみそり・ハンドル（１５、８４、９１）、シェービング・システムおよびシェービング・デバイス（１０、２０、３０、４０、５０、６０、７０、８０、９０、１００）。
2004501696.tif 000002
【特許請求の範囲】
【請求項１】
シェービング・ヘッドに固定された１つまたは複数のかみそりの刃と、
前記シェービング・ヘッドの底部に固定された第１の端部と第２の端部とをもつ平面部材と、
前記平面部材の前記第２の端部に固定された、開いた円筒形ハンドルとを備えるシェービング用かみそり。
【請求項２】
前記円筒形ハンドルの真円度が一様でない請求項１に記載のシェービング用かみそり。
【請求項３】
前記円筒形ハンドルが部分円筒である請求項１に記載のシェービング用かみそり。
【請求項４】
前記円筒形ハンドルの外表面から延びる、把持および回転制御のための表面リッジをさらに備える請求項１に記載のシェービング用かみそり。
【請求項５】
前記円筒形ハンドルの外表面から延びる把持および回転制御のための表面くぼみをさらに備える請求項１に記載のシェービング用かみそり。
【請求項６】
前記円筒形ハンドルの内側に付けられた内側把持表面をさらに備え、それによって使用者が前記円筒形ハンドルの内側で把持するための柔軟かつ感触よい表面を有する請求項１に記載のシェービング用かみそり。
【請求項７】
前記シェービング・ヘッドが、三角形の細長い部材の２つの側面のそれぞれに固定された前記１つまたは複数のかみそりの刃を備える三角形の細長い部材である請求項１に記載のシェービング用かみそり。
【請求項８】
片面シェービング・ヘッドの一部として形成されたかみ合いキャッチを備える交換可能な片面シェービング・ヘッドに固定された、１つまたは複数のかみそりの刃と、
第１端部および第２端部を有する平面部材と、
前記平面部材の前記第１端部の一部として形成された、前記かみ合いキャッチと可逆的にかみ合うようなサイズおよび形状の、かみ合いキャッチと、
前記平面部材の前記第２端部に固定された、開いた円筒形ハンドルとを備えるシェービング用かみそり。
【請求項９】
前記円筒形ハンドルの真円度が一様でない請求項８に記載のシェービング用かみそり。
【請求項１０】
前記円筒形ハンドルが部分円筒である請求項８に記載のシェービング用かみそり。
【請求項１１】
前記円筒形ハンドルの外表面から延びる、把持および回転制御のための表面リッジをさらに備える請求項８に記載のシェービング用かみそり。
【請求項１２】
前記円筒形ハンドルの外表面から延びる、把持および回転制御のための表面くぼみをさらに備える請求項８に記載のシェービング用かみそり。
【請求項１３】
前記円筒形ハンドルの内側に付けられた内側把持表面をさらに備え、それによって使用者が前記円筒形ハンドルの内側を把持するための柔軟な、感触よい表面を備える請求項８に記載のシェービング用かみそり。
【請求項１４】
前記内側把持表面の厚さが事前に選択された寸法であり、サイズ範囲に対応している請求項１３に記載のシェービング用かみそり。
【請求項１５】
キャッチ・アンド・ラッチが滑動動作でかみ合う請求項８に記載のシェービング用かみそり。
【請求項１６】
前記かみ合いキャッチの挿入を、前記かみ合いラッチの１方向に制限するラッチ・ストップをさらに備える請求項１５に記載のシェービング用かみそり。
【請求項１７】
前記ラッチを前記かみ合いキャッチに係合させ、解放させるボタン操作の手動手段をさらに備える請求項８に記載のシェービング用かみそり。
【請求項１８】
２重シェービング・ヘッド・カートリッジの一部として形成されたかみ合いキャッチを備える交換可能な２重シェービング・ヘッド・カートリッジに、反対方向に固定された、１つまたは複数のかみそりの刃を備える両面シェービング・ヘッドと、
第１端部および第２端部を備える平面部材と、
前記かみ合いキャッチと可逆にかみ合うサイズおよび形状の、前記平面部材の前記第１端部の一部として形成されたかみ合いキャッチと、
前記平面部材の前記第２端部に固定された、開いた円筒形ハンドルとを備えるシェービング用かみそり。
【請求項１９】
前記円筒形ハンドルの真円度が一様でない請求項１８に記載のシェービング用かみそり。
【請求項２０】
前記円筒形ハンドルが部分円筒である請求項１８に記載のシェービング用かみそり。
【請求項２１】
前記円筒形ハンドルの外表面から延びる、把持および回転制御のための表面リッジをさらに備える請求項１８に記載のシェービング用かみそり。
【請求項２２】
前記円筒形ハンドルの外表面から延びる、把持および回転制御のための表面くぼみをさらに備える請求項１８に記載のシェービング用かみそり。
【請求項２３】
前記円筒形ハンドルの内側に付けられた内側把持表面をさらに備え、それによって使用者が前記円筒形ハンドルの内側を把持するための柔軟な、感触よい表面を持つ請求項１８に記載のシェービング用かみそり。
【請求項２４】
前記内側把持表面の厚さが事前に選択された寸法であり、サイズ範囲に対応している請求項１８に記載のシェービング用かみそり。
【請求項２５】
各キャッチ・アンド・ラッチが滑動動作でかみ合う請求項１８に記載のシェービング用かみそり。
【請求項２６】
前記かみ合いラッチの挿入を、前記かみ合いラッチの１方向に制限するラッチ・ストップをさらに備える請求項２５に記載のシェービング用かみそり。
【請求項２７】
前記ラッチを前記かみ合いキャッチに係合させ、解放させるボタン操作の作動手段をさらに備える請求項１８に記載のシェービング用かみそり。
【請求項２８】
固定された１つまたは複数のかみそりの刃をそれぞれ備え、前記片面シェービング・ヘッドの一部として形成されたかみ合いキャッチをそれぞれ備える一対の片面シェービング・ヘッドと、
第１端部および第２端部を備える平面部材と、
キャッチとかみ合う前記片面シェービング・ヘッドの一方とそれぞれ可逆にかみ合うサイズおよび形状の前記平面部材の前記第１端部の一部として形成された一対のかみ合いラッチと、
前記平面部材の前記第２端部に固定された、開いた円筒形ハンドルとを備えるシェービング用かみそり。
【請求項２９】
前記円筒形ハンドルの真円度が一様でない請求項２８に記載のシェービング用かみそり。
【請求項３０】
前記円筒形ハンドルが部分円筒である請求項２８に記載のシェービング用かみそり。
【請求項３１】
前記円筒形ハンドルの外表面から延びる、把持および回転制御のための表面リッジをさらに備える請求項２８に記載のシェービング用かみそり。
【請求項３２】
前記円筒形ハンドルの外表面から延びる、把持および回転制御のための表面くぼみをさらに備える請求項２８に記載のシェービング用かみそり。
【請求項３３】
前記円筒形ハンドルの内側に付けられた内側把持表面をさらに備え、それによって使用者が前記円筒形ハンドルの内側を把持するための柔軟な、感触よい表面を有する請求項２８に記載のシェービング用かみそり。
【請求項３４】
前記内側把持表面の厚さが事前に選択された寸法であり、サイズ範囲に対応している請求項３３に記載のシェービング用かみそり。
【請求項３５】
各キャッチ・アンド・ラッチが滑動動作でかみ合う請求項２８に記載のシェービング用かみそり。
【請求項３６】
前記かみ合いキャッチのそれぞれの挿入を、前記かみ合いラッチの１方向に制限するラッチ・ストップをさらに備える請求項３５に記載のシェービング用かみそり。
【請求項３７】
前記ラッチのそれぞれを前記かみ合いキャッチに係合させ、解放させる、ボタン操作の作動手段をさらに備える請求項２８に記載のシェービング用かみそり。
【請求項３８】
かみそりの刃カートリッジなどのシェービング手段が取り付けられた自由端を有する平面部材に固定された開端の円筒形ハンドルを備えるシェービング用かみそりのハンドル。
【請求項３９】
前記円筒形ハンドルの真円度が一様でない請求項３８に記載のシェービング用かみそりのハンドル。
【請求項４０】
前記円筒形ハンドルが部分円筒である請求項３８に記載のシェービング用かみそりのハンドル。
【請求項４１】
前記円筒形ハンドルの外表面から延びる、把持および回転制御のための表面リッジをさらに備える請求項３８に記載のシェービング用かみそりのハンドル。
【請求項４２】
前記円筒形ハンドルの外表面から延びる、把持および回転制御のための表面くぼみをさらに備える請求項３８に記載のシェービング用かみそりのハンドル。
【請求項４３】
前記円筒形ハンドルの内側に付けられた内側把持表面をさらに備え、それによって使用者が前記円筒形ハンドルの内側を把持するための柔軟な、感触よい表面を有する請求項３８に記載のシェービング用かみそりのハンドル。
【請求項４４】
前記内側把持表面の厚さが事前に選択された寸法であり、サイズ範囲に対応している請求項４３に記載のシェービング用かみそりのハンドル。
【請求項４５】
円筒形のシェービング・ハンドルと、１セットのシェービング刃を支持するネックとを備えるシェービング用かみそり内に人差し指を挿入するステップと、
前記円筒形シェービング・ハンドルの対向する側面に親指および中指を配置するステップと、
前記シェービング刃を使用者の顔に当てて配置するステップと、
その後、シェービング用かみそりを顔に当てて引き、親指および中指を円筒形シェービング・ハンドルに当てて動かし、円筒形シェービング・ハンドルを人差し指周りに回転させることによってシェービング刃の位置を調節するステップとを含む、
単方向シェービング方法。
【請求項４６】
円筒形のシェービング・ハンドルと、第１および第２セットのシェービング刃を支持するネックとを備えるシェービング用かみそり内に人差し指を挿入するステップと、
前記円筒形シェービング・ハンドルの対向する側面に親指および中指を配置するステップと、
使用者の顔に当てる前記第１または前記第２セットのシェービング刃を選択するステップと、
その後、選択されたシェービング刃を顔に当てて引き、親指および中指を円筒形シェービング・ハンドルに当てて動かし、円筒形シェービング・ハンドルを人差し指周りに回転させることによって、選択されたシェービング刃の位置を調節するステップとを含む、
双方向シェービングの方法。
【発明の詳細な説明】
【０００１】
（発明の背景）
発明の分野
本発明は、新規なシェービング用かみそり、より詳細には、１重または２重の刃・システムの正確な回転運動を行える新規なハンドルに関する。本発明はまた、回転式かみそりのハンドルの独特な特徴が結果としてもたらした新規なシェービング方法を提供する。
【０００２】
関連技術
使い捨てのかみそりおよびカートリッジ・システムの両方のシェービング用かみそりが、従来技術でよく知られている。従来技術にみられる共通点は細長いハンドルである。これは、幅広のことも、幅狭のこともあり、よりよい把持のために表面処理されていることがよくあるが、かみそりヘッドは、１重、２重、３重刃であるかにかかわらず、Ｎｉｓｓｅｎに対して発行された米国特許第４，０２６，０１６号、およびＦｅｒｒａｔｏに対して発行された米国特許第５，９５３，８２４号で図示されたものなどの、細長いほぼスティック様の部材に支持されている。
【０００３】
２重ヘッドにされたかみそりが、従来技術、Ｓｏｋｏｌｏｆｆに対して発行された米国特許４，９８９，３２８号でみられる。これは、小さいサイズのトリミング刃と結合され、容易にアクセスするために互いに対向して取り付けられたフル・サイズの刃を教示している。Ｓｏｋｏｌｏｆｆのかみそりは双方向デバイスではない。プッシュプル双方向のシェービング用かみそりが、スティック・ハンドルに固定された一対の鏡像の刃を有し、ハンドルを一方向に、次に別の方向に動かすことによって、刃を人の肌に当てて押したり引いたりする方法を記載しているものに対して発行された米国特許第５，８６５，１８９号に記載されている。スティック・ハンドルの端部でかみそりの刃を人の顔に当てて、押し上げることは、双方向の使用を許すが、通常のシェービング方向の安定性は有さないこともある。
【０００４】
ＮｉｓｓｅｎおよびＦｅｒｒａｄｏの両特許は、刃の位置決めおよび運動の制約および制限を克服するための、スティック状のハンドルに固定された回転かつ揺動するシェービング・ヘッドを図示している。これは、スティック・ハンドルかみそりを用いて、人の顔の様々な輪郭形状、および顔毛の様々な成長パターンに順応させようと試みている。スティック・ハンドルのフィンガー・チップ把持は、より大きな操縦可能性を許すことができるが、その二律背反は制御を制限することである。
【０００５】
（発明の概要）
本発明は、１つまたは複数のセットの刃を支持する、リング形状の回転可能なハンドルを提供すると共に、ハンドルを人差し指の周りで回転させ、連続的な引き動作で双方向シェービングを可能にするリング形状のハンドルの両側で親指とび中指で刃のピッチおよび位置を調節することによる双方向運動を用いたシェービング方法を提供する。
【０００６】
「スティック」・ハンドルを除去して、回転式リング・ハンドルと交換することによって、使用者が回転点になり、使用者自身の指の感受性を用いてシステムを制御して、肌に当たる刃を調節することができる。この正確なシェービング・システムが、切り傷を減少させ、刃の制御を強化する。また、本方法は、使用者が、刃の位置を調節することができ、顔、脚、下腕および頭全体のシェービングを簡単で安全にする、正確なピッチ制御を提供できる。
【０００７】
新規なリングかみそりのハンドルは、単方向使用のための１セットの刃、または双方向使用のための２セットの刃を支持するように構成されてもよい。デバイスは、使い捨てであってもよく、または交換可能な刃を備えてもよい。ハンドルもまた、新規な交換可能な刃カートリッジを備える。
【０００８】
新規であると考えられる本発明の特徴について、添付の特許請求の範囲で詳細に説明する。しかし、構成と操作方法の両方に関して、本発明自体およびその利点は、添付の図面に関連して行う以下の説明を参照することにより最もよく理解できよう。
【０００９】
（発明を実施するための形態）
図面を参照すると、一般に１０で示された、回転式かみそりの透視図が図１Ａに示されている。この第１の実施形態は、使い捨てのシェービング用かみそりである。交換可能でないシェービング刃１１が、リング形状であって、ネック１６を形成している短い平面部材を備えているハンドル１５に接続された双方向シェービング・ヘッド１４の前側および後側である１２および１３に固定されている。いま図１Ｂ、１Ｃおよび１Ｄを参照すると、好ましい実施形態１０の操作方法の、２つの側面図および１つの正面図が図示されている。使用者は、リング形状のハンドル１５の内側に人差し指４０１を挿入することによって、回転式かみそり１０を使用者の手４００に持つことになる。親指４０２と中指４０３は、リング形状のハンドル１５の外側表面の相対する両側を押さえ、親指４０２と中指４０３でリング形状のハンドル１５を回転させることによって、双方向シェービング・ヘッド１４の人差し指４０１に対する回転を制御するようにして使用する。
【００１０】
図１Ｂは、矢印線２００に沿った、首３０１から顎３０２へのダウン・ストロークを図示している。ダウン・ストロークは、双方向シェービング・ヘッド１４が手４００に追従する引くストロークであり、双方向シェービング・ヘッド１４の前側面１２に取り付けられた刃１１は、顎ひげに当てて引かれる。
【００１１】
図１Ｃは、顔３００から双方向シェービング・ヘッド１４を持ち上げることなく行うことができるリターン・ストロークを図示している。矢印線２０１に沿ったリターン・ストロークは、ダウン・ストロークを完了し、その後、裏側面１３に固定された刃１１が顔３００と接触して置かれるまで、（図１Ｄに示す親指４０２および人差し指４０３の助けによって）双方向シェービング・ヘッド１４を人差し指４０１周りに回転させることによって行われる。リターン・ストロークは、顎３０２から首３０１まで示されており、これも手４００に従って双方向シェービング・ヘッド１４を引くストロークである。本発明の意図する範囲を逸脱することなく、おびただしい量の刃およびリング形状のハンドル構造を、単方向または双方向シェービング・ヘッドのための支持および方法として使用することができることが想定される。本発明の顕著な特徴は、刃が取り付けられた弓形または円形のハンドルを１つまた複数の指の周りに運動させることである。
【００１２】
いま図２を参照すると、一般に２０で示された、回転式かみそりの第１の代替実施形態の側部切断図が示されている。この実施形態は、使い捨てのシェービング用かみそりを示している。交換可能でない刃１１が、短いネック１６を介してリング形状のハンドル１５に接続された、単方向シェービング・ヘッド２２の前面２１に固定されている。
【００１３】
図３Ａを参照すると、一般に３０で示された、回転式かみそりの第２の代替実施形態の側部切断図が示されている。この実施形態は、交換可能なシェービング刃を使用しているシェービング用のかみそりを示している。シェービング刃３１は、交換可能な双方向シェービング・ヘッド３４の基部と短いネック１６の最上部の間のラッチ・アンド・キャッチ装置３５、３６を介してリング形状のハンドル１５に接続された、交換可能な双方向シェービング・ヘッド３４の前面３２および後面３３に固定されている。
【００１４】
いま図３Ｂを参照すると、一般に３０で示された、図３Ａの実施形態の組立図が示されている。交換可能な双方向シェービング・ヘッド３４の基部上のラッチ３５は、交換可能な双方向シェービング・ヘッド・カートリッジ３４を、新しいカートリッジを追加することができる矢印線２０２に沿って滑動させることによって、短いネック１６の最上部のキャッチ３６とかみ合わせることができる。ストッピング・キャッチ（図示せず）が、交換可能な双方向シェービング・ヘッド・カートリッジ３４の挿入を、短いネック１６上の事前に選択された距離に制限する。プロセスを反転させることによって、使用者は、交換可能な双方向シェービング・ヘッド・カートリッジ３４を交換することができる。
【００１５】
いま図３Ｃを参照すると、一般に４０で示された、図３Ａの実施形態の単方向の実施形態の側部切断図が示されている。この実施形態は、交換可能なシェービング・ヘッド・カートリッジを備える単方向のシェービング用かみそりを示している。シェービング刃４１は、交換可能な単方向シェービング・ヘッド・カートリッジ４３の基部と短いネック１６の最上部の間のラッチ・アンド・キャッチ装置４４、４５を介してリング形状のハンドル１５に接続された、交換可能な単方向シェービング・ヘッド・カートリッジ４３の前面４２に固定されている。
【００１６】
いま図４を参照すると、一般に５０で示された、回転式かみそりの第３の代替実施形態の組立図が示されている。この実施形態では、２つの対向するスライドオン刃カートリッジ５１を支持するために、２重のラッチ・アンド・キャッチ・システムが使用されている。各スライドオン刃カートリッジ５１は、その中に固定された一対のかみそりの刃５２を有し、各スライドオン刃カートリッジ５１の基部に形成されたラッチ５３は、スライドオン刃カートリッジ５１を、それぞれの新しいカートリッジを加えることができる矢印線２０３に沿って滑動させることによって、短いネック１６の最上部に固定された、またはその一部として形成されたキャッチ５４とかみ合う。ストッピング・キャッチ（図示せず）が、スライドオン刃カートリッジ５１の挿入を、短いネック１６上の事前に選択された距離に制限している。プロセスを反転させることによって、使用者は、スライドオン刃カートリッジ５１を交換することができる。短いネック１６はリング形状のハンドル１５の一部として形成される、またはハンドルに取り付けられ、それによってデバイスを完成させている。
【００１７】
いま図５を参照すると、一般に６０で示された、回転式かみそりの第４の代替実施形態の組立図が図示されている。この実施形態では、シック（Ｓｃｈｉｃｋ（商標））・レフィル・カートリッジとかみ合う２重の水平方向ラッチ・アンド・キャッチ・システム６１が、２つの対向するラッチオン・レフィル・カートリッジ６２を支持するために使用されている。２重の水平方向ラッチ・アンド・キャッチ・システム６１は公知の技術であり、したがって、その構造および使用の詳細な説明は含まれない。それぞれのレフィル・カートリッジ６２は、その中に固定された一対のかみそりの刃６３を有する。各レフィル・カートリッジ６２は、水平方向ラッチ・アンド・キャッチ６１とかみ合い、それによってレフィル・カートリッジ６２を短い中空のネック６４の一端に固定する。短い中空のネック６４内には、２重の水平方向ラッチ・アンド・キャッチ・システム６１の一部が収容されている。取付けレバー６５もまた、公知の技術であるが、短い中空のネック６４の両側に延びる。係合されると、取付けレバー６５が、接続された水平方向ラッチ・アンド・キャッチの、レフィル・カートリッジ６２の把持または解放のどちらかを行う運動を推進する。短い中空のネック６４は、一端でリング形状のハンドル１５に固定されている。
【００１８】
いま図６を参照すると、一般に７０で示された、回転式かみそりの第５の代替実施形態の組立図が図示されている。この実施形態では、ジレット（Ｇｉｌｌｅｔｔｅ（商標））・レフィル・カートリッジとかみ合う２重の垂直方向ラッチ・アンド・キャッチ・システム７１が、２つの対向するラッチオン・レフィル・カートリッジ７２を支持するために使用されている。２重の垂直方向ラッチ・アンド・キャッチ・システム７１は公知の技術であり、したがって、その構造および使用の詳細な説明は含まれない。それぞれのレフィル・カートリッジ７２は、その中に固定された一対のかみそりの刃７３を有する。それぞれのレフィル・カートリッジ７２は、垂直方向ラッチ・アンド・キャッチ７１とかみ合い、それによってレフィル・カートリッジ７２を短い中空のネック７４の一端に固定している。短い中空のネック７４内には、２重の垂直方向ラッチ・アンド・キャッチ・システム７１の一部が収容されている。取付けスイッチ７５もまた、公知の技術であるが、短い中空のネック７４の両側に延びている。係合されると、取付けスイッチ７５が、接続された垂直方向ラッチ・アンド・キャッチの、レフィル・カートリッジ７２の把持または解放のどちらかを行う運動を推進する。短い中空のネック７４は、一端でリング形状のハンドル１５に固定されている。
【００１９】
いま図７を参照すると、一般に８０で示された、回転式かみそりの第６の代替実施形態の切断図が図示されている。この実施形態は、双方向シェービング・ヘッド８２を有する卵形リング・ハンドル８１を示している。卵形ハンドル８１は、使用者が、どちらが使用者の手および指に最もよくフィットするかに応じて、卵形ハンドルの小さい曲率の側面８３か卵形ハンドルの大きい曲率の側面８４のいずれかを選択できるようにしている。卵形ハンドル８１に取り付けられた単方向シェービング・ヘッドは、本発明の意図された範囲内にあると想定される。
【００２０】
いま図８Ａおよび８Ｂを参照すると、一般に９０で示された、回転式かみそりの第７の代替実施形態の切断図が図示されている。各実施形態は、双方向シェービング・ヘッド９２を有する部分リング・ハンドル９１を示している。部分リング・ハンドル９１は、底部より上で開いていても（図８Ａ）底部の所で開いていても（図８Ｂ）よい。部分リング・ハンドル９１に取り付けられた単方向シェービング・ヘッドは、本発明の意図された範囲内にあると想定される。
【００２１】
いま図９を参照すると、一般に１００で示された、回転式かみそり用のリング・ハンドルの代替実施形態が図示されている。ハンドル・ケーシング１０１は、射出成形部品１０１である。短いネック１０２（この図で部分的に見えている）が、ハンドル・ケーシング１０１から延びており、シェービング・ヘッド（図示せず）がそれに固定される。一列の把持ガイド１０３が、ハンドル・ケーシング１０１の両側を通じて形成されており、複数の把持リッジ１０５の把持表面を備える、それぞれのサイズおよび形状把持ガイド１０３を通って延びるようになっている、一対の成形された柔軟な把持部材１０４が、リングの内側から外側に向かって把持ガイド１０３に挿入されている。内側の把持表面を形成している、比較的柔軟で感触のよい材料から成形されたコンフォート・スリーブ１０６が、ハンドル・ケーシング１０１内にきっちりと嵌合しており、柔軟な把持部材１０４をグリップ・キャッチ１０７内に配置することによって、柔軟な把持部材１０４の脱落を防止している。コンフォート・スリーブ１０６の壁厚は、特定の指のサイズ範囲に適応するようにそれぞれ事前に選択された幅で形成されてもよい。
【００２２】
ここに関連した本発明の範囲から逸脱せずに上記の装置に、ある変更が行われてもよいため、添付の図面に示すような上記の説明の含まれるすべてのものは、限定の意味ではなく例示として説明したものである。
【図面の簡単な説明】
【図１Ａ】
回転式かみそりの好ましい実施形態の透視図である。
【図１Ｂ】
好ましい実施形態の操作の方法の側面図である。
【図１Ｃ】
好ましい実施形態の操作の方法の側面図である。
【図１Ｄ】
好ましい実施形態の正面図である。
【図２】
回転式かみそりの第１の代替実施形態の側部切断図である。
【図３Ａ】
回転式かみそりの第２の代替実施形態の側部切断図である。
【図３Ｂ】
図３Ａの実施形態の組立図である。
【図３Ｃ】
図３Ａの実施形態の単方向実施形態の側部切断図である。
【図４】
回転式かみそりの第３の代替実施形態の組立図である。
【図５】
回転式かみそりの第４の代替実施形態の組立図である。
【図６】
回転式かみそりの第５の代替実施形態の組立図である。
【図７】
回転式かみそりの第６の代替実施形態の側部切断図である。
【図８Ａ】
回転式かみそりの第７の代替実施形態の側部切断図である。
【図８Ｂ】
図８Ａの実施形態の代替実施形態の側部切断図である。
【図９】
回転式かみそり用のリング・ハンドルの代替実施形態の図である。
【国際公開パンフレット】
2004501696.tif 000003
2004501696.tif 000004
2004501696.tif 000005
2004501696.tif 000006
2004501696.tif 000007
2004501696.tif 000008
2004501696.tif 000009
2004501696.tif 000010
2004501696.tif 000011
2004501696.tif 000012
2004501696.tif 000013
2004501696.tif 000014
2004501696.tif 000015
2004501696.tif 000016
2004501696.tif 000017
2004501696.tif 000018
2004501696.tif 000019
2004501696.tif 000020
2004501696.tif 000021
2004501696.tif 000022
2004501696.tif 000023
【国際調査報告】
2004501696.tif 000024